(57)【要約】【課題】バック充填用の貫通孔が下面に形成された中皿であっても、広い接着面積で強固に容器本体と接合一体化することのできる化粧料容器と、それを用いた化粧製品の製法を提供する。【解決手段】上面に化粧料３０を充填する凹部３１が形成され、下面に上記凹部３１内に連通する化粧料充填用の貫通孔４０が形成された中皿２０と、上面に、上記中皿２０を収容するための中皿収容用凹部１５が形成された容器本体１０と、この容器本体１０の上面を蓋する蓋体１１と、ガイドシール６０とを備え、化粧料３９が充填された中皿２０下面の略全面にガイドシール６０が貼着され、その貼着面と、上記容器本体１０の中皿収容用凹部底面１５とが、接着剤層７０を介して一体的に接合されるようになっている。【選択図】図１
2014090733.tif 000002
【特許請求の範囲】
【請求項１】
上面に化粧料充填用凹部が形成され、下面に上記凹部内に連通する化粧料充填用の貫通孔が形成された中皿と、上面に、上記中皿を収容するための中皿収容用凹部が形成された容器本体と、この容器本体の上面を蓋する蓋体と、シート状のガイドシールとを備え、上記化粧料充填用凹部内への化粧料充填後、その中皿下面の、上記貫通孔の開口を含む略全面に、上記ガイドシールが貼着され、このガイドシール貼着面と、上記容器本体の中皿収容用凹部底面とが、接着剤層を介して一体的に接合されるようになっていることを特徴とする化粧料容器。
【請求項２】
上記中皿の、化粧料充填用凹部が形成されていない部分に、中皿下面側から上方に向かって肉盗み部が、平行に延びる複数の帯状リブを残した状態で形成されており、上記中皿下面の、肉盗み部が形成されていない部分と帯状リブの端面にまたがって、上記ガイドシールが貼着されている請求項１記載の化粧料容器。
【請求項３】
上記帯状リブの幅が０．２〜２ｍｍに設定されており、隣り合う帯状リブの間隔が０．５〜５ｍｍに設定されている請求項２記載の化粧料容器。
【請求項４】
上記中皿と中皿収容用凹部との間に配置される透明プラスチックシートからなる保護シートを備え、この保護シートの一部が、上記中皿収容用凹部内に入り込んで、中皿と中皿収容用凹部との間に挟持され、その残部が、上記中皿収容用凹部内に収容される中皿の上面を、開閉自在に覆うようになっている請求項１〜３のいずれかに記載の化粧料容器。
【請求項５】
請求項１記載の化粧料容器を用いて化粧製品を製造する方法であって、上面に化粧料充填用凹部が形成され、下面に上記凹部内に連通する化粧料充填用の貫通孔が形成された中皿と、上面に、上記中皿を収容するための中皿収容用凹部が形成された容器本体と、この容器本体の上面を蓋する蓋体と、シート状のガイドシールとを準備する工程と、上記中皿の化粧料充填用凹部内に、中皿下面側から、上記貫通孔を経由させて化粧料を充填する工程と、上記中皿下面の、上記貫通孔の開口を含む略全面に、上記ガイドシールを貼着する工程と、上記中皿収容用凹部の底面に、この部分に対峙する中皿下面における貫通孔の配置を考慮することなく接着剤層を形成する工程と、上記化粧料が充填された中皿を、上記中皿収容用凹部内に嵌入して上記接着剤層により接合一体化する工程と、上記容器本体の上面を蓋体で蓋する閉蓋工程とを備えたことを特徴とする化粧製品の製法。
【請求項６】
上記中皿として、化粧料充填用凹部が形成されていない部分に、中皿下面側から上方に向かって肉盗み部が、平行に延びる複数の帯状リブを残した状態で形成されたものを準備し、上記中皿下面の、肉盗み部が形成されていない部分と帯状リブの端面にまたがって、上記ガイドシールを貼着するようにした請求項５記載の化粧製品の製法。
【請求項７】
上記帯状リブの幅が０．２〜２ｍｍに設定されており、隣り合う帯状リブの間隔が０．５〜５ｍｍに設定されている中皿を準備するようにした請求項６記載の化粧製品の製法。
【請求項８】
透明プラスチックシートからなる保護シートを準備し、上記中皿を中皿収容用凹部内に嵌入するより前に、上記保護シートの一部を上記中皿収容用凹部内に入り込ませ、その残部を中皿収容用凹部の上方もしくは側方に延ばした状態で配置する工程と、上記中皿を容器本体の中皿収容用凹部に嵌入して中皿と中皿収容用凹部との間に上記保護シートの一部を挟み込むとともに、上記保護シートの、中皿収容用凹部の上方もしくは側方に延ばした部分を中皿上面側に倒して中皿上面を開閉自在に覆うようにする工程とを備えた請求項５〜７のいずれか一項に記載の化粧製品の製法。
【発明の詳細な説明】
【技術分野】
【０００１】
本発明は、コンパクトケース等の化粧料容器およびそれを用いた化粧製品の製法に関するものである。
【背景技術】
【０００２】
従来、アイシャドウやファンデーション等の粉末化粧料を収容して携帯するための化粧料容器として、化粧料充填用中皿と、上面に上記中皿を収容するための凹部が形成された容器本体と、この容器本体の上面を蓋する蓋体とからなるコンパクトケース等が汎用されている。そして、上記中皿と容器本体の凹部とは、通常、ホットメルト接着剤等の接着剤を、凹部底面に滴下もしくは塗工し、その上に中皿を嵌入することによって、接合一体化されるようになっている。
【０００３】
上記中皿への化粧料の充填は、粉末状の化粧料をアルコール等の溶剤でスラリー状にし、これを中皿凹部に充填したのち、溶剤を除去して固化させる湿式充填方式が知られている。また、最近は、湿式充填方式のなかでも、特に、化粧料の充填を、中皿下面側から行うバック充填方式が多用されている。
【０００４】
上記バック充填方式によれば、中皿の上面開口に、賦形用の型を配置することにより、充填された化粧料の表面に適宜の凹凸形状を賦形することができるため、化粧料表面に、アイキャッチ効果の高い、印象的なデザインを、簡単に付与することができるという利点を有している。
【０００５】
しかし、この方式では、中皿下面に、化粧料充填用の貫通孔が形成されるため、中皿と、容器本体の中皿収容用凹部とを接着剤層によって接合する場合、接着剤がこの貫通孔から内側に侵入して化粧料の品質を損なうおそれがある。そこで、例えば、上記貫通孔を小さなシールで塞ぐことが提案されている。また、シールで塞ぐのではなく、接着剤層を形成する際に、その配置が中皿側の貫通孔と重ならないよう注意して接着剤を滴下もしくは塗工することが行われている。
【０００６】
ところで、最近、上記中皿の化粧料充填用凹部を、複数の区画に区分して各区画ごとに異なる化粧料を充填したものが多く出回っており、そのような中皿においても、区分された各区画ごとに、その凹部内に化粧料をバック充填することが行われている（例えば、下記の特許文献１を参照）。
【先行技術文献】
【特許文献】
【０００７】
【特許文献１】特開２０１１−５０６７９号公報
【発明の概要】
【発明が解決しようとする課題】
【０００８】
しかしながら、化粧料充填用凹部が複数の区画に区分された中皿は、例えば図６（ａ）に示すように、各区画（化粧料は図示せず）１ごとに、その下面に化粧料充填用の貫通孔２が形成されているため、この中皿３を、容器本体の凹部内に嵌入して固定する際、いちいち貫通孔２の開口に小さなシールを貼着することは、煩雑な手間を要するため好ましくない。また、貫通孔２に重ならないよう注意して接着剤層を形成する場合、貫通孔２の配置によっては、接着剤層が、ごく小さい面積になり、充分な接着力が得られなくなるおそれがある。
【０００９】
しかも、中皿３に、化粧料充填用凹部として複数の区画１を設けたものは、その区画１の輪郭が、特殊な輪郭形状にデザインされているものが多いため、図６（ａ）のＡ−Ａ′断面図である図６（ｂ）に示すように、凹状の区画１が形成されていない部分には、射出成形上の必要から、中皿３の下面側から上向きに凹んだ肉盗み部４が設けられる。このため、中皿３の下面において、接着剤層を形成することのできるスペースがますます制限され、充分な接着力を得ることが容易でないという問題がある。
【００１０】
本発明は、このような事情に鑑みなされたもので、バック充填用の貫通孔が下面に形成された中皿であっても、広い接着面積で強固に容器本体と接合一体化することができる化粧料容器およびそれを用いた化粧製品の製法の提供を、その目的とする。
【課題を解決するための手段】
【００１１】
上記の目的を達成するため、本発明は、上面に化粧料充填用凹部が形成され、下面に上記凹部内に連通する化粧料充填用の貫通孔が形成された中皿と、上面に、上記中皿を収容するための中皿収容用凹部が形成された容器本体と、この容器本体の上面を蓋する蓋体と、シート状のガイドシールとを備え、上記化粧料充填用凹部内への化粧料充填後、その中皿下面の、上記貫通孔の開口を含む略全面に、上記ガイドシールが貼着され、このガイドシール貼着面と、上記容器本体の中皿収容用凹部底面とが、接着剤層を介して一体的に接合されるようになっている化粧料容器を第１の要旨とする。
【００１２】
また、本発明は、そのなかでも、特に、上記中皿の、化粧料充填用凹部が形成されていない部分に、中皿下面側から上方に向かって肉盗み部が、平行に延びる複数の帯状リブを残した状態で形成されており、上記中皿下面の、肉盗み部が形成されていない部分と帯状リブの端面にまたがって、上記ガイドシールが貼着されている化粧料容器を第２の要旨とし、上記帯状リブの幅が０．２〜２ｍｍに設定されており、隣り合う帯状リブの間隔が０．５〜５ｍｍに設定されてい化粧料容器を第３の要旨とする。
【００１３】
さらに、本発明は、それらのなかでも、特に、上記中皿と中皿収容用凹部との間に配置される透明プラスチックシートからなる保護シートを備え、この保護シートの一部が、上記中皿収容用凹部内に入り込んで、中皿と中皿収容用凹部との間に挟持され、その残部が、上記中皿収容用凹部内に収容された中皿の上面を、開閉自在に覆うようになっている化粧料容器を第４の要旨とする。
【００１４】
そして、本発明は、上記第１の要旨である化粧料容器を用いて化粧製品を製造する方法であって、上面に化粧料充填用凹部が形成され、下面に上記凹部内に連通する化粧料充填用の貫通孔が形成された中皿と、上面に、上記中皿を収容するための中皿収容用凹部が形成された容器本体と、この容器本体の上面を蓋する蓋体と、シート状のガイドシールとを準備する工程と、上記中皿の化粧料充填用凹部内に、中皿下面側から、上記貫通孔を経由させて化粧料を充填する工程と、上記中皿下面の、上記貫通孔の開口を含む略全面に、上記ガイドシールを貼着する工程と、上記中皿収容用凹部の底面に、この部分に対峙する中皿下面における貫通孔の配置を考慮することなく接着剤層を形成する工程と、上記化粧料が充填された中皿を、上記中皿収容用凹部内に嵌入して上記接着剤層により接合一体化する工程と、上記容器本体の上面を蓋体で蓋する閉蓋工程とを備えた化粧製品の製法を第５の要旨とする。
【００１５】
また、本発明は、そのなかでも、特に、上記中皿として、化粧料充填用凹部が形成されていない部分に、中皿下面側から上方に向かって肉盗み部が、平行に延びる複数の帯状リブを残した状態で形成されたものを準備し、上記中皿下面の、肉盗み部が形成されていない部分と帯状リブの端面にまたがって、上記ガイドシールを貼着するようにした化粧製品の製法を第６の要旨とし、上記帯状リブの幅が０．２〜２ｍｍに設定されており、隣り合う帯状リブの間隔が０．５〜５ｍｍに設定されている中皿を準備するようにした化粧製品の製法を第７の要旨とする。
【００１６】
さらに、本発明は、それらのなかでも、特に、透明プラスチックシートからなる保護シートを準備し、上記中皿を中皿収容用凹部内に嵌入するより前に、上記保護シートの一部を上記中皿収容用凹部内に入り込ませ、その残部を中皿収容用凹部の上方もしくは側方に延ばした状態で配置する工程と、上記中皿を容器本体の中皿収容用凹部に嵌入して中皿と中皿収容用凹部との間に上記保護シートの一部を挟み込むとともに、上記保護シートの、中皿収容用凹部の上方もしくは側方に延ばした部分を中皿上面側に倒して中皿上面を開閉自在に覆うようにする工程とを備えた化粧製品の製法を第８の要旨とする。
【発明の効果】
【００１７】
すなわち、本発明の化粧料容器は、バック充填方式によって化粧料が充填される中皿を有する化粧料容器であって、その中皿下面の略全面に、シート状のガイドシールを貼着し、このガイドシール貼着面と、容器本体の中皿収容用凹部とを、接着剤層を介して接合一体化できるようにしたものである。この構成によれば、中皿下面に形成されるバック充填用の貫通孔の数や配置にかかわらず、容器本体の中皿収容用凹部内に、広い面積で接着剤層を形成することができるため、中皿と容器本体とを強固に接合一体化することができる。また、広い面積で形成された接着剤層と、中皿の下面に貼着されたガイドシールとが相俟って、優れた衝撃吸収・緩衝機能を奏するため、容器本体や蓋体が強い衝撃や振動を受けても、中皿への衝撃は小さく、中皿内の化粧料にひび割れや損傷が生じにくいという効果を奏する。
【００１８】
そして、本発明のなかでも、特に、上記中皿の、化粧料充填用凹部が形成されていない部分に、中皿下面側から上方に向かって肉盗み部が、平行に延びる複数の帯状リブを残した状態で形成されており、上記中皿下面の、肉盗み部が形成されていない部分と帯状リブの端面にまたがって、上記ガイドシールが貼着されているものは、中皿の下面に、肉盗み部が大きく、あるいは不規則に形成されたものであっても、上記帯状リブを利用することによって、ガイドシールが、中皿下面の略全面にしっかりと貼着されるため、好適である。
【００１９】
また、そのなかでも、特に、上記帯状リブの幅が０．２〜２ｍｍに設定されており、隣り合う帯状リブの間隔が０．５〜５ｍｍに設定されているものは、ガイドシールを、よりしっかりと貼着保持することができ、しかも中皿の補強効果にも優れているため、好適である。
【００２０】
さらに、本発明のなかでも、特に、上記中皿と中皿収容用凹部との間に配置される透明プラスチックシートからなる保護シートを備え、この保護シートの一部が、上記中皿収容用凹部内に入り込んで、中皿と中皿収容用凹部との間に挟持され、その残部が、上記中皿収容用凹部内に収容された中皿の上面を、開閉自在に覆うようになっているものは、中皿と中皿収容用凹部とを接合一体化する接着剤層によって、上記保護シートの抜け止めを同時に行うことができるため、得られる化粧製品において、保護シートが抜けにくくなり、好適である。
【００２１】
そして、本発明の化粧製品の製法によれば、中皿下面に形成されるバック充填用の貫通孔の数や配置にかかわらず、容器本体の中皿収容用凹部内に、適宜の配置で広い面積の接着剤層を形成することができるため、中皿と中皿収容用凹部との接合一体化が強固になされ、中身である化粧料に対する衝撃吸収・緩衝効果にも優れた化粧製品を、効率よく製造することができる。
【図面の簡単な説明】
【００２２】
【図１】本発明の一実施の形態である化粧料容器を用いた化粧製品を示す縦断面図である。
【図２】（ａ）は上記実施の形態に用いる中皿の平面図、（ｂ）はその底面図を示している。
【図３】上記化粧製品の製造方法を説明する斜視図である。
【図４】本発明の他の実施の形態である化粧料容器を用いた化粧製品の製造方法を説明する斜視図である。
【図５】（ａ）は本発明に用いられるガイドシールの変形例を示す断面図、（ｂ）は他の変形例を示す部分的な断面図である。
【図６】（ａ）従来の、化粧料充填用凹部として複数の区画が設けられている中皿の一例を示す平面図、（ｂ）はそのＡ−Ａ′断面図を示している。
【発明を実施するための形態】
【００２３】
つぎに、本発明の一実施の形態である化粧料容器を用いた化粧製品について説明する。ただし、本発明は、この実施の形態に限られるものではない。
【００２４】
図１は、本発明の一実施の形態である化粧料容器を用いた化粧製品の断面図を示している。この化粧製品に用いられる化粧料容器は、容器本体１０と、容器本体１０の上面を蓋する蓋体１１とを備えたコンパクトケースタイプの化粧料容器であって、上記蓋体１１の内側面には、鏡１２が取り付けられている。そして、上記蓋体１１の前端部に突設された係合爪１１ａと、容器本体１０の前端部に設けられた切欠き１３内の係合突部１０ａとの係脱によって、蓋体１１の開閉が行われるようになっている。
【００２５】
そして、上記容器本体１０の上面には、中皿２０を収容するための凹部１５が設けられており（図３参照）、その凹部１５内に、化粧料３０が充填された中皿２０が収容されている。
【００２６】
上記中皿２０は、その平面図である図２（ａ）に示すように、外形が、平面視横長の長方形状で、その上面に、化粧料３０を充填するための凹部３１が設けられている（製品化の際に充填される化粧料３０は図示せず）。この凹部３１は、図示のとおり、全体としては、その平面視形状が横方向に延びた長円状で、その内側に設けられた仕切り壁３２によって、大小４つの区画３３に分割されている。
【００２７】
そして、上記各区画３３内には、それぞれ、中皿２０の下面から化粧料３０を充填するための貫通孔４０が形成されており、各区画３３の凹部内と中皿２０の下面が連通している。
【００２８】
また、上記中皿２０の下面は、その底面図である図２（ｂ）に示すように、中皿２０全体の周縁部２０ａと、化粧料充填用の凹部３１を構成する部分と、四隅の、斜め方向に平行に延びる複数の帯状リブ４１とを残した状態で、中皿２０の下面側から上面側に向かって、いわゆる肉盗み部５０が形成されている。上記肉盗み部５０が形成されている部分を、図２（ｂ）において斜線Ｘで示す。
【００２９】
そして、上記肉盗み部５０が形成されていない、化粧料充填用の凹部３１を構成する部分と、四隅の帯状リブ４１とを利用して、中皿２０の下面の略全面に、鎖線で示すように、シート状のガイドシール６０が貼着されている。
【００３０】
上記ガイドシール６０は、厚み５０μｍの透明プラスチックシート（ポリエチレンテレフタレート製）からなり、中皿２０の下面よりも一回り小さい外形寸法に設定されている。ちなみに、この例では、中皿２０下面の外形寸法が４２ｍｍ×６２ｍｍであるのに対し、このガイドシール６０の外形は、３８ｍｍ×５８ｍｍの外形寸法に設定されている。これは、ガイドシール６０を中皿２０の下面に貼着する際、ガイドシール６０が多少ずれても、中皿２０の下面からガイドシール６０がはみ出すことがなく、中皿２０を、容器本体１０の中皿収容用凹部１５内にスムーズに嵌入することができるよう考慮したものである。
【００３１】
そして、上記中皿２０の下面の、ガイドシール６０貼着面と、前記容器本体１０の中皿収容用凹部１５の底面１５ａ（図１に戻る）とが、ホットメルト接着剤等の接着剤層７０を介して、一体的に接合されている。
【００３２】
上記の構成によれば、中皿２０の下面に、バック充填用の複数個の貫通孔４０と、肉盗み部５０とが形成されているにもかかわらず、その略全面に、ガイドシール６０が貼着されているため、容器本体１０の中皿収容用凹部１５内に、広い面積で接着剤層７０が形成されており、中皿２０と容器本体１０とが強固に接合一体化されている。
【００３３】
しかも、広い面積で形成された接着剤層７０と、中皿２０の下面に貼着されたガイドシール６０とが相俟って、優れた衝撃吸収・緩衝機能を奏するため、容器本体や蓋体に強い衝撃や振動を受けても、中皿への衝撃は小さく、中皿２０内の化粧料３０にひび割れや損傷が生じにくいという効果を奏する。
【００３４】
さらに、上記中皿２０の下面において、化粧料充填用の凹部３１が形成されていない部分に肉盗み部５０が形成されているにもかかわらず、四隅に、斜め方向に平行に延びる複数の帯状リブ４１が設けられているため、中皿２０の下面より一回り小さい寸法のガイドシール６０でありながら、この帯状リブ４１の端面を利用することにより、全体としてしっかりと中皿２０の下面に貼着されている。
【００３５】
なお、上記の例において、中皿２０の下面に貼着するガイドシール６０は、できるだけ嵩張らず、しかも取り扱いやすい柔軟性と一定の強度とを有していることが望ましく、ポリエチレンテレフタレート製のシートの外、例えばポリプロピレン等のオレフィン系樹脂製シートを用いることができる。透明である必要はない。
【００３６】
そして、上記ガイドシール６０の厚みは、上記の例に限らず、１０〜３００μｍに設定することが好適である。薄すぎると中皿２０への貼り付け作業性が悪くなり、逆に、厚すぎると化粧料容器内で嵩張って好ましくない。
【００３７】
また、上記ガイドシール６０の大きさは、すでに述べたように、中皿２０の下面よりも一回り小さい寸法に設定することが好適である。ただし、容器本体１０との充分な接着面積を確保する必要から、中皿２０の下面の面積に対し、その５０〜９８％を覆う程度に設定することが好適であり、とりわけ８０〜９５％に設定することが最適である。
【００３８】
つぎに、上記ガイドシール６０を中皿２０の下面に貼着するための接着剤（図１において図示を省略）は、ガイドシール６０の材質と、中皿２０の材質とを勘案して、両者を接合するのに適した接着剤を、適宜選択することができる。ただし、この接着剤は、中皿２０の下面に開口する貫通孔４０内に入り込まないよう、通常、ガイドシール６０側に、ごく薄く塗工されて皮膜化されており、その表面の粘着性を利用して、中皿２０に貼着される。
【００３９】
そして、上記中皿２０の、ガイドシール６０貼着面と、容器本体１０の中皿収容用凹部１５の底面１５ａとを接合一体化するための接着剤層７０に用いられる接着剤としては、上記ガイドシール６０の材質と、容器本体１０の材質とを勘案して、両者を接合するのに適したものを、適宜選択することができる。特に、衝撃吸収・緩衝機能を得る上で、硬化後にクッション性のある弾性体となるものが好ましく、例えば、ポリウレタン系ホットメルト接着剤や、ゴム系ホットメルト接着剤等が好適に用いられる。
【００４０】
また、上記接着剤層７０の厚みは、衝撃吸収・緩衝機能を得るために、例えば５０〜３０００μｍに設定することが好適である。そして、上記の接着剤層７０による、中皿２０の下面（正確にはガイドシール６０貼着面）と容器本体１０の中皿収容用凹部１５との接着面積は、中皿２０の下面の面積に対し、５０〜９５％程度になるよう設定することが、接着強度の点から好適である。このように、上記ガイドシール６０を介在させることにより、中皿２０の下面に貫通孔４０や肉盗み部５０が設けられているにもかかわらず、中皿２０の下面に対して大きな割合で接着面積を確保することができることが、本発明の大きな特徴である。
【００４１】
さらに、上記の例において、肉盗み部５０とともに設けられる帯状リブ４１は、中皿２０の下面に設けられる肉盗み部５０の形成面積やその形状によっては、必ずしも必要ないが、中皿２０の周縁部２０ａと、化粧料充填用の凹部３１との間に大きく肉盗み部５０が形成される場合には、このような帯状リブ４１を残しておくことが好ましい。すなわち、前述のように、この帯状リブ４１を利用して、ガイドシール６０を、中皿２０の下面のすみずみまでしっかりと貼着することができるからである。
【００４２】
しかも、上記帯状リブ４１は、とりわけ、中皿２０の下面において、その四隅に設けることが、角部においてガイドシール６０を剥げにくくするとともに、中皿２０自体の強度を高める効果を発揮することになり、好適である。
【００４３】
このような帯状リブ４１は、その補強作用と、ガイドシール６０貼り付け場所確保の点から、その幅〔図２（ｂ）においてＷで示す〕を、０．２〜２ｍｍに設定することが好適である。また、互いに隣り合う帯状リブ４１の間隔〔図２（ｂ）においてＰで示す〕を、０．５〜５ｍｍに設定することが好適である。
【００４４】
つぎに、上記化粧製品の製法の一例を説明する。すなわち、まず、図２（ａ）、（ｂ）に示す中皿２０を準備し、この中皿２０の化粧料充填用の各区画３３内に、貫通孔４０を経由させて化粧料３０を充填する。また、上記中皿２０を収容するための中皿収容用凹部１５が形成された容器本体１０と、この容器本体１０の上面を蓋するための蓋体１１とを準備し、両者を連結して、蓋体１１を開いた状態にする（図３参照）。
【００４５】
そして、上記中皿２０の下面の、上記貫通孔４０の開口を含む略全面に、片面に接着剤層が設けられたガイドシール６０を貼着した後、上記容器本体１０の中皿収容用凹部１５の底面１５ａに、ホットメルト接着剤等の接着剤７０ａ（この例では液状）を数ヶ所滴下する。このとき、従来であれば、この部分に対向する中皿２０の下面における貫通孔４０や肉盗み部５０の配置を確認して、その対向位置を避けるように接着剤７０ａを滴下するところ、この製法によれば、このような確認作業が不要で、そのまま、適宜の配置に接着剤７０ａを滴下することができる。
【００４６】
つぎに、化粧料３０が充填された中皿２０（下面にガイドシール６０付）を、上記容器本体１０の中皿収容用凹部１５内に嵌入し、凹部底面１５ａと中皿２０下面のガイドシール６０貼着面との間で接着剤７０ａを、鎖線で示すように薄く広げた状態で硬化させ、接着剤層７０として、中皿２０と容器本体１０の凹部底面１５ａとを接合一体化する。そして、蓋体１１を閉じて容器本体１０の上面を蓋することによって、目的とする化粧製品を得ることができる。
【００４７】
このように、上記製法によれば、中皿２０の下面に形成されるバック充填用の貫通孔４０や肉盗み部５０の配置にかかわらず、容器本体１０の中皿収容用凹部１５内に、適宜の配置で広い面積の接着剤層７０を形成することができるため、中皿２０と中皿収容用凹部１５とが強固に接合一体化され、しかも衝撃吸収・緩衝性に優れた化粧製品を、簡単に、効率よく製造することができる。
【００４８】
なお、このような化粧製品では、中皿２０の上面を、透明なプラスチックシートからなる保護シートで覆って、化粧料３０を保護するとともに容器内がこぼれた化粧料で汚れないようにすることが、一般に行われているが、上記保護シートの脱落や紛失を防止するために、最近は、上記保護シートの一部を、容器本体１０の中皿収容用凹部１５内に入り込ませて挟んだものが提案されている。
【００４９】
本発明の化粧料容器を用いた化粧製品においても、例えば図４に示すように、下面にガイドシール６０（図１参照）が貼着された中皿２０と、容器本体１０の中皿収容用凹部１５との間に、中皿２０の上面を保護するための保護シート８０を挟み込んだ構成にすることができる。
【００５０】
その場合は、上記保護シート８０として、図示のように、中皿２０の上面を被覆するためのカバー部８１と、容器本体１０の中皿収容用凹部１５内に入り込ませるための延長部８２とを備えたものを準備し、その延長部８２を、上記中皿収容用凹部１５内に入り込ませ、カバー部８１を、中皿収容用凹部１５の側方に延ばした状態で、容器本体１０に装着する。なお、上記保護シート８０の延長部８２のうち、容器本体１０の中皿収容用凹部１５の底面に敷き込む部分は、平面視が四角枠状で、中央部が大きく開口した形になっている。
【００５１】
つぎに、上記中皿収容用凹部１５内に、ホットメルト接着剤等の接着剤７０ａを数ヶ所滴下した後、化粧料３０が充填された中皿２０（下面にガイドシール６０付）を、上記容器本体１０の中皿収容用凹部１５内に嵌入し、凹部底面１５ａと中皿２０下面のガイドシール６０貼着面との間で接着剤７０ａを、鎖線で示すように薄く広げ、硬化させて接着剤層７０として、中皿２０と容器本体１０の凹部底面１５ａとを接合一体化する。そして、上記保護シート８０のカバー部８１を、中皿２０の上面に沿うよう折り込み、蓋体１１を閉じて容器本体１０の上面を蓋することによって、目的とする化粧製品を得ることができる。
【００５２】
本発明において、上記のように、中皿２０と容器本体１０の中皿収容用凹部１５との間に保護シート８０を挟み込むと、従来に比べて広い接着面積の接着剤層７０によって、中皿２０の下面（ガイドシール６０付）と容器本体１０の中皿収容用凹部１５とが、強固に一体化されているため、上記保護シート８０も、強固に挟み込まれることとなり、保護シート８０がずれたり抜けたりすることがなく、長期にわたって良好に使用することができる。
【００５３】
なお、上記のように、保護シート８０を用いる場合には、接着剤層７０を形成する接着剤７０ａとして、粘着タイプのものではなく、完全硬化型のものを用いることが好適である。すなわち、粘着タイプのものであると、せっかく広い面積に接着剤層７０を形成していても、保護シート８０を強く引っ張ると抜けてしまうおそれがあるからである。
【００５４】
また、本発明において、中皿２０の下面に貼着するガイドシール６０として、例えば図５（ａ）に示すように、側方にシート部分が延長されたものを用いることにより、ガイドシール６０が、上記保護シート８０を兼ねるようにすることができる。
【００５５】
すなわち、この例では、ガイドシール６０に、中皿２０の下面に貼着するためのシール部９１と、容器本体１０の中皿収容用凹部１５（図４参照）の側壁に沿って立ち上がるための立ち上がり部９２と、中皿２０の上面を覆うためのカバー部９３とを設け、上記シール部９１の、中皿２０の下面と対向する部分に、接着剤層９４を設ける。そして、この接着剤層９４を介して、ガイドシール６０を中皿２０の下面に貼着した後、このガイドシール６０付きの中皿２０を、接着剤７０ａが滴下された容器本体１０の中皿収容用凹部１５内に嵌入することにより、目的とする化粧製品を得ることができる。
【００５６】
さらに、本発明において、図５（ｂ）に示すように、上記ガイドシール６０の両面に接着剤層９５、接着剤層９６が形成されたものを用いることにより、容器本体１０の中皿収容用凹部１５内に接着剤７０ａを滴下する等して接着剤層７０を形成することを省略することができる。すなわち、上記ガイドシール６０の上面に形成された接着剤層９５を利用して、ガイドシール６０を中皿２０の下面に貼着することができる。そして、上記ガイドシール６０の下面に形成された接着剤層９６を利用して、ガイドシール６０付の中皿２０を、容器本体１０の中皿収容用凹部１５内に接合一体化することができる。この構成によれば、本発明による化粧製品を、より簡便に製造することができる。
【００５７】
なお、図４に示すように、上記ガイドシール６０付中皿２０と、容器本体１０の中皿収容用凹部１５との間に、保護シート８０を挟み込む場合には、上記接着剤層９６として、比較的厚みのある、クッション性のある接着剤層を用いることが望ましい。すなわち、上記接着剤層９６は、中皿収容用凹部１５内において、凹部底面１５ａと、凹部１５内に入り込んだ保護シート８０の延長部８２との両方に接合する必要があり、そのためには、保護シート８０の厚み分に相当する高低差に追従しなければならないからである。このように、接着剤層９６にクッション性をもたせることは、この部分における衝撃吸収・緩衝性能を高めることになり、好適である。
【００５８】
また、図５（ａ）に示すように、上記ガイドシール６０が、カバー部９３を有し、従来の保護シート８０を兼ねる構成になっている場合は、上記ガイドシール６０のうち、中皿２０の下側に配置される部分にのみ、上記接着剤層９５、９６を形成するようにしなければならない。この場合も、上記と同様に優れた効果を奏する。
【００５９】
なお、本発明の化粧料容器は、バック充填によって化粧料が充填される中皿２０と、上面に、この中皿２０を収容する中皿収容用凹部１５が形成された容器本体１０と、この容器本体１０の上面を蓋する蓋体１１と、ガイドシール６０とを備えた構造になっていれば、どのような化粧料容器であっても差し支えなく、容器本体１０と蓋体１１との連結構造、開閉構造、各部材の形状等は、上記の例に限るものではない。
【産業上の利用可能性】
【００６０】
本発明は、バック充填によって化粧料が充填される中皿と、上面に、この中皿を収容する中皿収容用凹部が形成された容器本体と、この容器本体１０の上面を蓋する蓋体とを備え、上記中皿と中皿収容用凹部とが、接着剤層を介して一体的に接合されるようになっている化粧料容器の提供に利用することができる。
【符号の説明】
【００６１】
１０  容器本体
１１  蓋体
１５  中皿収容用凹部
２０  中皿
３０  化粧料
３１  凹部
４０  貫通孔
６０  ガイドシール
７０  接着剤層
【図１】
2014090733.tif 000003
【図２】
2014090733.tif 000004
【図３】
2014090733.tif 000005
【図４】
2014090733.tif 000006
【図５】
2014090733.tif 000007
【図６】
2014090733.tif 000008